【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
電子写真感光体および／または電子写真感光体ユニットを保管するための保管箱において、
該保管箱は、
下記式（１）で示される化合物、下記式（２）で示される化合物および下記式（３）で示される化合物からなる群より選ばれる少なくとも１種、ならびに
下記式（４）で示される化合物、下記式（５）で示される化合物、下記式（６）で示される化合物、下記式（７）で示される化合物および下記式（８）で示される化合物からなる群より選ばれる少なくとも１種
を含有する樹脂組成物からなる成形物であり、
該化合物の分子量がそれぞれ５６０以下であり、
該成形物中の該化合物の総含有量が２００ｐｐｍ以下である
ことを特徴とする保管箱。
【化１】
2011053532.tif 000001
式（１）中、Ｒ１は炭素数１乃至２０の置換または非置換アルキル基、置換または非置換アリール基、置換または非置換アルコキシ基あるいは置換または非置換アリールオキシ基である。Ｘ１およびＸ２は下記式で示される結合基を示す。
【化２】
2011053532.tif 000002
式中、ｍは１あるいは２である。
また、Ａ１およびＡ２は下記群から選ばれる基を示す。
【化３】
2011053532.tif 000003
式中、Ｒ２は炭素数１乃至２０の置換または非置換アルキル基あるいは置換または非置換アリール基である。
【化４】
2011053532.tif 000004
式（２）中、Ｘ３およびＸ４の定義はＸ１およびＸ２の定義と同じであり、Ａ３およびＡ４の定義はＡ１およびＡ２の定義と同じである。
【化５】
2011053532.tif 000005
式（３）中、Ｒ３は炭素数１乃至２０の置換または非置換アルキル基あるいは置換または非置換アリール基である。ｎは３乃至１１の整数を示す。
【化６】
2011053532.tif 000006
式（４）中、Ｒ４、Ｒ５およびＲ６はヒドロキシ基、炭素数１乃至２５の置換または非置換アルキル基、置換または非置換アリール基あるいは置換または非置換カルボン酸エステル基を示す。
【化７】
2011053532.tif 000007
式（５）中、Ｒ７、Ｒ８、Ｒ９およびＲ１０は炭素数１乃至２０の置換または非置換アルキル基、置換または非置換アリール基、置換または非置換アルコキシ基、置換または非置換アリールオキシ基あるいは置換または非置換カルボン酸エステル基を示す。Ｘ５はＳ原子、炭素数１乃至１４の２価のカルボン酸エステル基あるいは炭素数１乃至１２のアルキレン基を示す。
【化８】
2011053532.tif 000008
式（６）中、Ｒ１１およびＲ１２は水素原子、炭素数１乃至２０の置換または非置換アルキル基あるいは置換または非置換アリール基を示す。
【化９】
2011053532.tif 000009
式（７）中、Ｂ１およびＢ２は下記式で示される有機基を示す。
【化１０】
2011053532.tif 000010
式中、Ｒ１３は水素原子、炭素数１乃至１０の置換または非置換アルキル基あるいは置換または非置換アリール基を示す。また、Ｘ６は炭素数１乃至１２のアルキレン基を示す。
【化１１】
2011053532.tif 000011
式（８）中、Ｒ１４およびＲ１５は水素原子、ハロゲン原子、ヒドロキシ基、炭素数１乃至１５の置換または非置換アルキル基、置換または非置換アリール基、置換または非置換アルコキシ基、置換または非置換アリールオキシ基あるいは置換または非置換カルボン酸エステル基を示す。Ｘ７は単結合あるいは下記式で示される２価の有機基を示す。
【化１２】
2011053532.tif 000012
また、Ｑは下記式で示される有機基を示す。
【化１３】
2011053532.tif 000013
式中、Ｒ１６乃至Ｒ１９は水素原子、ハロゲン原子、ヒドロキシ基、炭素数１乃至１５の置換または非置換アルキル基、置換または非置換アリール基、置換または非置換アルコキシ基あるいは置換または非置換アリールオキシ基を示す。
【請求項２】
電子写真感光体および／または電子写真感光体ユニットを保管するための保管箱において、
該保管箱の少なくとも内面の表面に、
下記式（１）で示される化合物、下記式（２）で示される化合物および下記式（３）で示される化合物からなる群より選ばれる少なくとも１種、ならびに
下記式（４）で示される化合物、下記式（５）で示される化合物、下記式（６）で示される化合物、下記式（７）で示される化合物および下記式（８）で示される化合物からなる群より選ばれる少なくとも１種
を含有する樹脂組成物からなるコート層が設けられており、
該化合物の分子量がそれぞれ５６０以下であり、
該コート層中の該化合物の総含有量が２００ｐｐｍ以下である
ことを特徴とする保管箱。
【化１４】
2011053532.tif 000014
式（１）中、Ｒ１は炭素数１乃至２０の置換または非置換アルキル基、置換または非置換アリール基、置換または非置換アルコキシ基あるいは置換または非置換アリールオキシ基である。Ｘ１およびＸ２は下記式で示される結合基を示す。
【化１５】
2011053532.tif 000015
式中、ｍは１あるいは２である。
また、Ａ１およびＡ２は下記群から選ばれる基を示す。
【化１６】
2011053532.tif 000016
式中、Ｒ２は炭素数１乃至２０の置換または非置換アルキル基あるいは置換または非置換アリール基である。
【化１７】
2011053532.tif 000017
式（２）中、Ｘ３およびＸ４の定義はＸ１およびＸ２の定義と同じであり、Ａ３およびＡ４の定義はＡ１およびＡ２の定義と同じである。
【化１８】
2011053532.tif 000018
式（３）中、Ｒ３は炭素数１乃至２０の置換または非置換アルキル基あるいは置換または非置換アリール基である。ｎは３乃至１１の整数を示す。
【化１９】
2011053532.tif 000019
式（４）中、Ｒ４、Ｒ５およびＲ６はヒドロキシ基、炭素数１乃至２５の置換または非置換アルキル基、置換または非置換アリール基あるいは置換または非置換カルボン酸エステル基を示す。
【化２０】
2011053532.tif 000020
式（５）中、Ｒ７、Ｒ８、Ｒ９およびＲ１０は炭素数１乃至２０の置換または非置換アルキル基、置換または非置換アリール基、置換または非置換アルコキシ基、置換または非置換アリールオキシ基あるいは置換または非置換カルボン酸エステル基を示す。Ｘ５はＳ原子、炭素数１乃至１４の２価のカルボン酸エステル基あるいは炭素数１乃至１２のアルキレン基を示す。
【化２１】
2011053532.tif 000021
式（６）中、Ｒ１１およびＲ１２は水素原子、炭素数１乃至２０の置換または非置換アルキル基あるいは置換または非置換アリール基を示す。
【化２２】
2011053532.tif 000022
式（７）中、Ｂ１およびＢ２は下記式で示される有機基を示す。
【化２３】
2011053532.tif 000023
式中、Ｒ１３は水素原子、炭素数１乃至１０の置換または非置換アルキル基あるいは置換または非置換アリール基を示す。また、Ｘ６は炭素数１乃至１２のアルキレン基を示す。
【化２４】
2011053532.tif 000024
式（８）中、Ｒ１４およびＲ１５は水素原子、ハロゲン原子、ヒドロキシ基、炭素数１乃至１５の置換または非置換アルキル基、置換または非置換アリール基、置換または非置換アルコキシ基、置換または非置換アリールオキシ基あるいは置換または非置換カルボン酸エステル基を示す。Ｘ７は単結合あるいは下記式で示される２価の有機基を示す。
【化２５】
2011053532.tif 000025
また、Ｑは下記式で示される有機基を示す。
【化２６】
2011053532.tif 000026
式中、Ｒ１６乃至Ｒ１９は水素原子、ハロゲン原子、ヒドロキシ基、炭素数１乃至１５の置換または非置換アルキル基、置換または非置換アリール基、置換または非置換アルコキシ基あるいは置換または非置換アリールオキシ基を示す。
【請求項３】
電子写真感光体および／または電子写真感光体ユニットを保管するための保管箱において、
該保管箱の中に電子写真感光体および／または電子写真感光体ユニットが収納された場合に該保管箱の内面と該電子写真感光体および／または電子写真感光体ユニットとの隙間になる位置に、
下記式（１）で示される化合物、下記式（２）で示される化合物および下記式（３）で示される化合物からなる群より選ばれる少なくとも１種、ならびに
下記式（４）で示される化合物、下記式（５）で示される化合物、下記式（６）で示される化合物、下記式（７）で示される化合物および下記式（８）で示される化合物からなる群より選ばれる少なくとも１種
を含有する樹脂組成物からなるプレート材が設置されており、
該化合物の分子量がそれぞれ５６０以下であり、
該プレート材中の該化合物の総含有量が２００ｐｐｍ以下である
ことを特徴とする保管箱。
【化２７】
2011053532.tif 000027
式（１）中、Ｒ１は炭素数１乃至２０の置換または非置換アルキル基、置換または非置換アリール基、置換または非置換アルコキシ基あるいは置換または非置換アリールオキシ基である。Ｘ１およびＸ２は下記式で示される結合基を示す。
【化２８】
2011053532.tif 000028
式中、ｍは１あるいは２である。
また、Ａ１およびＡ２は下記群から選ばれる基を示す。
【化２９】
2011053532.tif 000029
式中、Ｒ２は炭素数１乃至２０の置換または非置換アルキル基あるいは置換または非置換アリール基である。
【化３０】
2011053532.tif 000030
式（２）中、Ｘ３およびＸ４の定義はＸ１およびＸ２の定義と同じであり、Ａ３およびＡ４の定義はＡ１およびＡ２の定義と同じである。
【化３１】
2011053532.tif 000031
式（３）中、Ｒ３は炭素数１乃至２０の置換または非置換アルキル基あるいは置換または非置換アリール基である。ｎは３乃至１１の整数を示す。
【化３２】
2011053532.tif 000032
式（４）中、Ｒ４、Ｒ５およびＲ６はヒドロキシ基、炭素数１乃至２５の置換または非置換アルキル基、置換または非置換アリール基あるいは置換または非置換カルボン酸エステル基を示す。
【化３３】
2011053532.tif 000033
式（５）中、Ｒ７、Ｒ８、Ｒ９およびＲ１０は炭素数１乃至２０の置換または非置換アルキル基、置換または非置換アリール基、置換または非置換アルコキシ基、置換または非置換アリールオキシ基あるいは置換または非置換カルボン酸エステル基を示す。Ｘ５はＳ原子、炭素数１乃至１４の２価のカルボン酸エステル基あるいは炭素数１乃至１２のアルキレン基を示す。
【化３４】
2011053532.tif 000034
式（６）中、Ｒ１１およびＲ１２は水素原子、炭素数１乃至２０の置換または非置換アルキル基あるいは置換または非置換アリール基を示す。
【化３５】
2011053532.tif 000035
式（７）中、Ｂ１およびＢ２は下記式で示される有機基を示す。
【化３６】
2011053532.tif 000036
式中、Ｒ１３は水素原子、炭素数１乃至１０の置換または非置換アルキル基あるいは置換または非置換アリール基を示す。また、Ｘ６は炭素数１乃至１２のアルキレン基を示す。
【化３７】
2011053532.tif 000037
式（８）中、Ｒ１４およびＲ１５は水素原子、ハロゲン原子、ヒドロキシ基、炭素数１乃至１５の置換または非置換アルキル基、置換または非置換アリール基、置換または非置換アルコキシ基、置換または非置換アリールオキシ基あるいは置換または非置換カルボン酸エステル基を示す。Ｘ７は単結合あるいは下記式で示される２価の有機基を示す。
【化３８】
2011053532.tif 000038
また、Ｑは下記式で示される有機基を示す。
【化３９】
2011053532.tif 000039
式中、Ｒ１６乃至Ｒ１９は水素原子、ハロゲン原子、ヒドロキシ基、炭素数１乃至１５の置換または非置換アルキル基、置換または非置換アリール基、置換または非置換アルコキシ基あるいは置換または非置換アリールオキシ基を示す。
【手続補正２】
【補正対象書類名】明細書
【補正対象項目名】００１０
【補正方法】変更
【補正の内容】
【００１０】
本発明は、電子写真感光体および／または電子写真感光体ユニットを保管するための保管箱において、
該保管箱は、
下記式（１）で示される化合物、下記式（２）で示される化合物および下記式（３）で示される化合物からなる群より選ばれる少なくとも１種、ならびに
下記式（４）で示される化合物、下記式（５）で示される化合物、下記式（６）で示される化合物、下記式（７）で示される化合物および下記式（８）で示される化合物からなる群より選ばれる少なくとも１種
を含有する樹脂組成物から形成された成形物であり、
該化合物の分子量がそれぞれ５６０以下であり、
該成形物中の該化合物の総含有量が２００ｐｐｍ以下である
ことを特徴とする保管箱に関する。
【化１】
2011053532.tif 000040
〔式（１）中、Ｒ１は、炭素数１乃至２０の置換または非置換アルキル基、置換または非置換アリール基、置換または非置換アルコキシ基あるいは置換または非置換アリールオキシ基である。Ｘ１およびＸ２は、それぞれ下記式で示される結合基を示す。〕
【化２】
2011053532.tif 000041
〔式中、ｍは１あるいは２である。〕
また、Ａ１およびＡ２は下記群から選ばれる基を示す。
【化３】
2011053532.tif 000042
〔式中、Ｒ２は炭素数１乃至２０の置換または非置換アルキル基あるいは置換または非置換アリール基である。〕
【化４】
2011053532.tif 000043
〔式（２）中、Ｘ３およびＸ４の定義は、Ｘ１およびＸ２の定義と同じであり、Ａ３およびＡ４の定義は、Ａ１およびＡ２の定義と同じである。〕
【化５】
2011053532.tif 000044
〔式（３）中、Ｒ３は、炭素数１乃至２０の置換または非置換アルキル基あるいは置換または非置換アリール基である。ｎは３乃至１１の整数を示す。〕
【化６】
2011053532.tif 000045
〔式（４）中、Ｒ４、Ｒ５およびＲ６は、ヒドロキシ基、炭素数１乃至２５の置換または非置換アルキル基、置換または非置換アリール基あるいは置換または非置換カルボン酸エステル基を示す。〕
【化７】
2011053532.tif 000046
〔式（５）中、Ｒ７、Ｒ８、Ｒ９およびＲ１０は、炭素数１乃至２０の置換または非置換アルキル基、置換または非置換アリール基、置換または非置換アルコキシ基、置換または非置換アリールオキシ基あるいは置換または非置換カルボン酸エステル基を示す。Ｘ５はＳ原子、炭素数１乃至１４の２価のカルボン酸エステル基あるいは炭素数１乃至１２のアルキレン基を示す。〕
【化８】
2011053532.tif 000047
〔式（６）中、Ｒ１１およびＲ１２は、水素原子、炭素数１乃至２０の置換または非置換アルキル基あるいは置換または非置換アリール基を示す。〕
【化９】
2011053532.tif 000048
〔式（７）中、Ｂ１およびＢ２は下記式で示される有機基を示す。Ｘ６は、炭素数１乃至１２のアルキレン基を示す。〕
【化１０】
2011053532.tif 000049
〔式中、Ｒ１3は、水素原子、炭素数１乃至１０の置換または非置換アルキル基あるいは置換または非置換アリール基を示す。〕
【化１１】
2011053532.tif 000050
〔式（８）中、Ｒ１４およびＲ１５は水素原子、ハロゲン原子、ヒドロキシ基、炭素数１乃至１５の置換または非置換アルキル基、置換または非置換アリール基、置換または非置換アルコキシ基、置換または非置換アリールオキシ基あるいは置換または非置換カルボン酸エステル基を示す。Ｘ７は単結合あるいは下記式で示される２価の有機基を示す。〕
【化１２】
2011053532.tif 000051
また、Ｑは下記式で示される有機基を示す。
【化１３】
2011053532.tif 000052
〔式中、Ｒ１６乃至Ｒ１９は、それぞれ水素原子、ハロゲン原子、ヒドロキシ基、炭素数１乃至１５の置換または非置換アルキル基、置換または非置換アリール基、置換または非置換アルコキシ基あるいは置換または非置換アリールオキシ基を示す。〕
なお、上述したように、本発明の上記式（１）乃至（８）で示される各化合物は、分子量が５６０以下である。そのためには、該化合物の分子量が５６０以下になるように式中のＲ１乃至Ｒ１９の構造や、ｍおよびｎの値の組み合わせを調整する必要がある。